(57)【要約】【課題】  逆流防止機構を設けると共にインク設計の幅が広い開閉弁を設けた直液式塗布具を提供する。【解決手段】  塗布具において、塗布体に毛管力を付与する部材を配置し、塗布体と収容管との間のインク通路に開閉弁を設け、前記塗布体と開閉弁との間のインク通路は密閉されていて、前記開閉弁は、前記塗布体側のインク圧が収容管側のインク圧よりも負圧の場合に開く機能を有していることを直液式塗布具。【選択図】図１
2014177065.tif 000002
【特許請求の範囲】
【請求項１】
フォロワとインクを収容管内に収容し、収容管先端のチップに設けた塗布体にインクが供給される塗布具において、
前記塗布体に毛管力を付与する部材を配置し、
塗布体と収容管との間のインク通路に開閉弁を設け、
前記塗布体と開閉弁との間のインク通路は密閉されていて、
前記開閉弁は、前記塗布体側のインク圧が収容管側のインク圧よりも負圧の場合に開く機能を有していることを特徴とする直液式塗布具。
【請求項２】
前記塗布体に付与された毛管力が開閉弁の開弁圧よりも高いことを特徴とする請求項１に記載の直液式塗布具。
【請求項３】
前記開閉弁は、スプリングの弾発力によってボールが受け座に当接し、前記負圧の有・無でボールが受け座に離脱・当接して開・閉する構造であることを特徴とする請求項１又は２に記載の直液式塗布具。
【請求項４】
前記開閉弁は、弾性樹脂体にスリットが形成されたものであり、前記負圧の有・無でスリットが開・閉する構造であることを特徴とする請求項１又は２に記載の直液式塗布具。
【発明の詳細な説明】
【技術分野】
【０００１】
本発明は、軸筒内にリフィルを着脱自在にする直液式塗布具に関する。
【背景技術】
【０００２】
一般的にディスプレ性に優れ、残量が分かりやすい、インク及びフォロワという形態の筆記具は、液の直流を防ぐ機構として、 筆記部先端を押圧してバルブを開閉するいわゆる微ノックバルブ（特開２００８−２６５２０３号（特許文献１）、特開平１０−１１４１８９号（特許文献２）参照）を付与しているものが多い。
【０００３】
特許文献１や特許文献２記載のような微ノックバルブは筆記時にガタがあるため、書き味が悪く、バルブを開いている時間によって、インク流量が変わってしまうため、文字書きと直線書きでの描線濃度に差が出やすいという問題があった。また、軸を細く出来ないという問題もあった。 
【先行技術文献】
【特許文献】
【０００４】
【特許文献１】特開２００８−２６５２０３号公報
【特許文献２】特開平１０−１１４１８９号公報
【発明の概要】
【発明が解決しようとする課題】
【０００５】
本発明は、斯かる実情に鑑み、逆流防止機構を設けると共にインク設計の幅が広い開閉弁を設けた直液式塗布具を提供しようとするものである。
【課題を解決するための手段】
【０００６】
本発明は、フォロワとインクを収容管内に収容し、収容管先端のチップに設けた塗布体にインクが供給される塗布具において、
前記塗布体に毛管力を付与する部材を配置し、
塗布体と収容管との間のインク通路に開閉弁を設け、
前記塗布体と開閉弁との間のインク通路は密閉されていて、
前記開閉弁は、前記塗布体側のインク圧が収容管側のインク圧よりも負圧の場合に開く機能を有していることを特徴とする直液式塗布具である。
【０００７】
本発明において、前記塗布体に付与された毛管力が開閉弁の開弁圧よりも高いことが好適である。
【０００８】
本発明において、前記開閉弁は、スプリングの弾発力によってボールが受け座に当接し、前記負圧の有・無でボールが受け座に離脱・当接して開・閉する構造であることが好適である。
【０００９】
本発明において、前記開閉弁は、弾性樹脂体にスリットが形成されたものであり、前記負圧の有・無でスリットが開・閉する構造であることが好適である。
【発明の効果】
【００１０】
本発明の直液式塗布具によれば、塗布体と収容管との間のインク通路に開閉弁を設け、開閉弁が、前記塗布体側のインク圧が収容管側のインク圧よりも負圧の場合に開く機能を有しているので、塗布具の使用によって前記塗布体のインクが減少して、塗布体側が負圧になると開閉弁が開いて、塗布体にインク供給ができ、逆に、不使用時に閉じてインクの直流 を確実に防止できる。 
【図面の簡単な説明】
【００１１】
【図１】本発明の第１実施形態に係る直液式塗布具に備えるリフィルにキャップをした不使用状態の図であり、（ａ）がリフィルの側方視図、（ｂ）が該リフィルの縦断面図、（ｃ）が（ａ）と別側面の前記リフィルの側方視図、（ｄ）が同状態のリフィルの縦断面図、（ｅ）がリフィルのチップ周辺の拡大縦断面図である。
【図２】図１のキャップを外して使用状態としたリフィルが開状態の図であり、（ａ）がリフィルの側方視図、（ｂ）が該リフィルの縦断面図、（ｃ）が（ａ）と別側面の前記リフィルの側方視図、（ｄ）が同状態のリフィルの縦断面図、（ｅ）がリフィルのチップ周辺の拡大縦断面図である。
【図３】本発明の第２実施形態に係る直液式塗布具のリフィルにキャップをした不使用状態の図であり、（ａ）がリフィルの側方視図、（ｂ）が該リフィルの縦断面図、（ｃ）が（ａ）と別側面の前記リフィルの側方視図、（ｄ）が同状態のリフィルの縦断面図、（ｅ）がリフィルのチップ周辺の拡大縦断面図である。
【図４】図３のリフィルに設けた開閉弁の説明図であり、（ａ）が前方側の斜視図、（ｂ）が前方視図、（ｃ）が側面視図、（ｄ）が縦断面図、（ｅ）が（ｃ）がスリットに沿った方向に側面視図、（ｆ）が（ｅ）状態の縦断面図、（ｇ）が後方側の斜視図、（ｈ）が後方視図である。
【図５】第２実施形態のリフィルを収容した直液式塗布具の説明図であり、（ａ）が側面図、（ｂ）が後端のノック部周辺の図、（ｃ）が後方側の斜視図、（ｄ）が後端のノック部周辺の斜視図である。
【図６】図５の筆記具に設けたキャップ外し具の、（ａ）が前方視図、（ｂ）が前方側斜視図、（ｃ）が側面図、（ｄ）が縦断面図、（ｅ）が（ｃ）と別角度の側面図、（ｆ）が同状態の縦断面図、（ｇ）後方視図、（ｈ）後方側斜視図である。
【発明を実施するための形態】
【００１２】
以下、本発明の実施形態について添付図面を参照して説明する。
【００１３】
図１〜図２は本発明の第１実施形態に係る直液式塗布具に備えたリフィルの説明図である。
【００１４】
図１〜図２に示すように、第１実施形態に係る直液式筆記具は、フォロワとインクを収容管１０内に収容し、収容管先端に取り付けられたチップ１２の塗布体１４にインクが供給されるリフィルを備えたものである。
【００１５】
前記リフィルにおいて、収容管１０はインク１０ａとインク１０ａの後端側に液体又は固体のフォロワ１０ｂを収容している。インク１０ａには、粘度１〜３０ｍＰa・ｓが好適である。
【００１６】
リフィルには、前方が大径で後部が小径に形成された管状の継手１６が収容管１０とチップ１２との間に介装されている。継手１６の太径の前部にチップ１２が差し込まれて、細径の後部が収容管１０に差し込まれて固定される。
【００１７】
なお、リフィルには、図１に示すように、未使用時に前記チップ１２先端を覆うキャップＡが嵌着してチップ１２先端を保護している。一方、図２に示すように、使用時にはキャップＡを取り去ってチップ１２先端部の塗布体１４が露出するようにしている。キャップＡはカップ状の本体の先端に、板体が二股状の突出した把手部が突出形成されている。把手部は指先で摘んでキャップを取り去れる。
【００１８】
チップ１２の先端開口内には、棒状の塗布体１４が嵌入して固定されている。前記塗布体１４に毛管力を付与する部材を配置したものである。実施形態で、当該付与する部材は塗布体１４を多孔体、繊維束、焼結体等を用いた材質選択により構成している。塗布具がマーキングペンの場合にペン先に塗布体１４用いて構成することができる。もちろん、塗布体１４の別体に当該付与する部材をインク通路２０に設けることもできる。
【００１９】
前記チップ１２は中央部より前部と後部が細径になっている。その前部に前記塗布体１４が差し込まれている。その後部は継手１６内に差し込まれている。
【００２０】
継手１６とチップ１２の内部の空間が、塗布体１４と収容管１０との間のインク通路２０である。そのインク通路の継手１６内部には、開閉弁１８を設けている。また、前記塗布体１４と開閉弁１８との間のインク通路２０は継手１６とチップ１２によって外部から密閉されている。
【００２１】
開閉弁１８の構成として、実施形態では、図１（ｅ）、図２の（ｅ）に示されるように、前記開閉弁１８は、スプリングの弾発力によってボール１８ａが受け座１８ｂに当接し、前記負圧の有・無でボール１８ｂが受け座に離脱・当接して開・閉する構造である。
【００２２】
詳しくは、前記継手１６内の後部内に段状に小径化した受け座１８ａが形成されており、継手１６内に収容されたボール１８ｂと該ボールを受け座１８ａに向けて付勢する弾発力のあるスプリング１８ｃとがある。スプリング１８ｃは、ＳＵＳ等の金属製、樹脂製等種々の材質で形成できる。
【００２３】
そして、前記開閉弁１８は、前記塗布体１４側のインク圧が、収容管１０側のインク圧よりも負圧の場合に開く機能を有している。使用によって塗布体１４のインクが消費されるとチップ１２の内圧が低下し、その場合に、開閉弁１８が開いてチップ１２内のインク通路２０にインクが補給される。
【００２４】
そして、前記塗布体１４に付与された毛管力が開閉弁１８の開弁圧よりも高い。したがって、使用によってインクが消費されると、塗布体の毛管力１４によって開閉弁を開いてインクが収容管から供給される。
【００２５】
図３〜図６は本発明の第２実施形態に係る直液式塗布具に備えたリフィルの説明図である。
【００２６】
図３に示すように、第２実施形態に係る直液式筆記具のリフィルは、第１実施形態のリフィルにおける開閉弁１８が受け座１８ａ、ボール１８ｂ、スプリング１８ｃによって構成されたものに替えて、単体のスリット弁の開閉弁２８にしたものである。
【００２７】
図４に示すように、前記開閉弁２８は、前部が小径で、後部が太径の段付きの栓体である一体で成形されたゴム等からなる弾性樹脂体（材質の例として、ブチルゴムがある。）である。そして、小径の前部には、前後方向にスリット２８ａが切込み形成されたものであり、前記負圧の有・無でスリット２８ａが開・閉する構造である。
【００２８】
チップ１２と継手１６との内部空間は、第１実施形態のものと同様のインク通路２０の構成であり、そのインク通路２０に嵌め込まれた開閉弁２８は前部が細径でチップ１２の後部開口内に嵌り込み、継手１６の受け座１８ａの段部に後部が当接して、位置決めされている。
【００２９】
第２実施形態では、塗布体１４の先端がテーパ状を呈しているが、その他の開弁圧等は第１実施形態と同様であり、同一部分に同様の符号を付している。
【００３０】
次に、前記リフィルを使用する塗布具の例の筆記具を図５〜図６によって説明する。
【００３１】
図５に示すように、筆記具の軸筒３０に第２実施形態に係るリフィルを装着しノック体３２でノックして進退動可能になる。一つのノック体３２はクリップを兼用している。ノック機構は図示を省略する。
【００３２】
ここで、装着したリフィルが軸筒３０から外れないように、軸筒３０の後端にキャップ外し具３４が嵌め込まれて取り付けられている。図６に示すように、キャップ外し具３４は、概略椀状を呈し、側面の３箇所にノック体３２に対応する溝３４ａが形成され、中央部に透孔３４ｂが形成されている。
【００３３】
リフィルの着脱時には、上記のキャップ外し具３４を軸筒３０から外して、ノック体３２ごとリフィルを軸筒３０から抜いて別のリフィルにノック体３２を装着して軸筒３０に挿入して、キャップ外し具３４を前記軸筒３０の後端に嵌め付けて抜け止めしている。
第１実施形態及び第２実施形態の直液式塗布具によれば、塗布体１４と収容管１０との間のインク通路２０に開閉弁１８、２８を設け、開閉弁１８、２８が、前記塗布体１４側のインク圧が収容管側のインク圧よりも負圧の場合に開く機能を有しているので、塗布具の使用によって前記塗布体のインクが減少して、塗布体側が負圧になると開閉弁１８、２８が開いて、塗布体１４にインク供給ができ、逆に、不使用時に閉じてインクの直流 を確実に防止できる。 
【産業上の利用可能性】
【００３４】
本発明の直液式塗布具は、軸筒内にリフィルを着脱自在にする直液式筆記具に利用することができる。
【符号の説明】
【００３５】
１０  収容管
１２  チップ
１４  塗布体
１６  継手
１８  開閉弁（第１実施形態）
２０  インク通路
２８  開閉弁（第２実施形態）
２８ａ  開閉弁のスリット
３０  軸筒
【図１】
2014177065.tif 000003
【図２】
2014177065.tif 000004
【図３】
2014177065.tif 000005
【図４】
2014177065.tif 000006
【図５】
2014177065.tif 000007
【図６】
2014177065.tif 000008